(57)【要約】【課題】カバー部材の開口部を大きくせずにキーボードを円滑に押下可能なキーボード装置を提案する。【解決手段】カバー部材の開口部に配置され、押下可能なキートップと、前記キートップに設けられた第１磁石と、前記第１磁石が吸着される第２磁石を有し、前記キートップを支持する支持部と、を備え、前記支持部は、前記第１磁石が前記第２磁石に吸着される第１位置と、押下により吸着が解除された第２位置との間で、前記キートップの高さ方向と交差する移動方向に前記キートップが移動するように支持し、前記キートップは、縁部に前記移動方向に沿って形成された傾斜面を有する、キーボード装置【選択図】図３
2015046137.tif 000002
【特許請求の範囲】
【請求項１】
カバー部材の開口部に配置され、押下可能なキートップと、
前記キートップに設けられた第１磁石と、
前記第１磁石が吸着される第２磁石を有し、前記キートップを支持する支持部と、
を備え、
前記支持部は、前記第１磁石が前記第２磁石に吸着される第１位置と、押下により吸着が解除された第２位置との間で、前記キートップの高さ方向と交差する移動方向に前記キートップが移動するように支持し、
前記キートップは、縁部に前記移動方向に沿って形成された傾斜面を有する、キーボード装置。
【請求項２】
前記傾斜面は、前記移動方向と平行に形成されている、
請求項１に記載のキーボード装置。
【請求項３】
前記傾斜面は、
前記キートップの縁部の中で、前記キートップが前記第１位置から前記第２位置へ移動する際に前記開口部の内縁に近づく第１縁部に、形成されている、
請求項１に記載のキーボード装置。
【請求項４】
前記傾斜面は、前記キートップの頂面と側面とを繋ぐ面である、
請求項１に記載のキーボード装置。
【請求項５】
前記傾斜面は、平らな面である、
請求項４に記載のキーボード装置。
【請求項６】
前記傾斜面は、曲面である、
請求項４に記載のキーボード装置。
【請求項７】
前記キートップが前記第１位置に位置する際に、
前記キートップの前記第１縁部と、前記第１縁部が対向する前記開口部の内縁との距離は、
前記キートップの前記第１縁部と直交する第２縁部と、前記第２縁部が対向する前記開口部の内縁との距離と同じ大きさである、
請求項３に記載のキーボード装置。
【請求項８】
前記キートップが設けられた第１筐体と、
前記第１筐体に対してスライドしながら移動可能な第２筐体と、
を更に備え、
前記第２筐体の端部は、スライドする際に前記傾斜面に接触する、
請求項１に記載のキーボード装置。
【請求項９】
前記支持部は、前記キートップの前記第１位置と前記第２位置との間での移動をガイドするガイド面を有し、
前記ガイド面は、平らな面である、
請求項５に記載のキーボード装置。
【請求項１０】
前記支持部は、前記キートップの前記第１位置と前記第２位置との間での移動をガイドするガイド面を有し、
前記ガイド面は、曲面である、
請求項５に記載のキーボード装置。
【請求項１１】
前記傾斜面は、
前記キートップの縁部の中で、前記キートップが前記第１位置から前記第２位置へ移動する際に前記開口部の内縁から離れる第２縁部に、形成されている、
請求項１に記載のキーボード装置。
【請求項１２】
前記キートップは、前記第１位置に位置する際に、前記第２縁部側から前記開口部の下方に入り込むように延出した延出部を有する、
請求項１１に記載のキーボード装置。
【発明の詳細な説明】
【技術分野】
【０００１】
本開示は、押下可能なキートップを備えるキーボード装置に関する。
【背景技術】
【０００２】
キーボード装置として例えばパーソナルコンピュータのキーボードには、ラバードーム及びシザース機構を備えるものが使用されている。このようなキーボード装置においては、ユーザによるキートップに対する押圧により、シザース機構に水平に支持されたキートップがラバードームを押し下げる。その結果、メンブレンシート回路において電気的接続がなされて、入力信号が伝わる仕組みを採用している（特許文献１参照）。
【先行技術文献】
【特許文献】
【０００３】
【特許文献１】特開２０１２−１２９１４０号公報
【発明の概要】
【発明が解決しようとする課題】
【０００４】
近年、キーボード装置の薄型化が、要求されている。かかる要求に応えるべく、ラバードーム及びシザース機構に代えて、磁石対に生じる引力を利用した方式が提案されている。かかる方式では、磁石対に生じる引力を、キートップの位置を維持するための力として利用する。そして、ユーザがキートップを押圧すると、キートップは斜めに押し下がる。
【０００５】
ところで、キートップが斜めに移動する場合には、キートップが配置されるカバー部材の開口部にキートップが干渉しないようにするために、開口部を大きくすることが求められる。しかし、開口部を大きくすると、開口部の内縁とキートップの隙間が目立ち、キーボード装置の美観が損なわる恐れがある。
【０００６】
そこで、本開示では、カバー部材の開口部を大きくせずにキーボードを円滑に押下可能なキーボード装置を提案する。
【課題を解決するための手段】
【０００７】
本開示によれば、カバー部材の開口部に配置され、押下可能なキートップと、前記キートップに設けられた第１磁石と、前記第１磁石が吸着される第２磁石を有し、前記キートップを支持する支持部と、を備え、前記支持部は、前記第１磁石が前記第２磁石に吸着される第１位置と、押下により吸着が解除された第２位置との間で、前記キートップの高さ方向と交差する移動方向に前記キートップが移動するように支持し、前記キートップは、縁部に前記移動方向に沿って形成された傾斜面を有する、キーボード装置が提供される。
【０００８】
本開示によれば、上記の傾斜面を設けることにより、キートップが移動する際に、当該キートップが配置される開口部の内縁と干渉しない。このため、キートップが、第１位置と第２位置との間で円滑に移動できる。また、傾斜面を設けることで、キートップの縁部と開口部の内縁との間の隙間を小さく維持できるので、開口部を大きくする必要がなくなる。
【発明の効果】
【０００９】
以上説明したように本開示によれば、カバー部材の開口部を大きくせずにキーボードを円滑に押下することが可能となる。
【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の第１の実施形態に係る電子機器の外観構成の一例を示す斜視図である。
【図２】本体側筐体の構成の一例を示す平面図である。
【図３】第１の実施形態に係るキーボード部の構成の一例を示す斜視図である。
【図４】第１の実施形態に係るキーボード部の分解状態を示す斜視図である。
【図５】支持部材とキートップの構成の一例を示す分解斜視図である。
【図６】キートップの基準位置Ｐ１と入力位置Ｐ２とを示す図である。
【図７】キートップと開口部の関係を示す図である。
【図８】キートップが基準位置から入力位置へ移動する際の、傾斜面と開口部の関係を示す図である。
【図９】ユーザがキートップを押下する際のキーボード部の動きの例を説明するための図である。
【図１０】第２の実施形態に係る電子機器の構成の一例を示す図である。
【図１１】第２の実施形態に係る電子機器の構成の一例を示す図である。
【図１２】第２の実施形態に係る電子機器の構成の一例を示す図である。
【図１３】第２の実施形態に係る電子機器のスライド動作を説明するための図である。
【図１４】第２の実施形態に係る表示側筐体の端部が傾斜面に接触する状態を説明するための模式図である。
【図１５】比較例に係る表示側筐体の端部がキートップに接触する状態を説明するための模式図である。
【図１６】第３の実施形態に係るキートップの傾斜面の第１実施例の構成を示す斜視図である。
【図１７】第３の実施形態に係る支持部材のガイド面の第１実施例の構成を示す斜視図である。
【図１８】第３の実施形態に係る支持部材のガイド面の第１実施例の構成を示す斜視図である。
【図１９】第３の実施形態に係るキートップの傾斜面の第２実施例の構成を示す斜視図である。
【図２０】第３の実施形態に係るキートップの傾斜面の第３実施例の構成を示す斜視図である。
【図２１】第３の実施形態に係る支持部材のガイド面の第３実施例の構成を示す斜視図である。
【図２２】第３の実施形態に係るキートップの傾斜面とベゼルの位置関係を説明するための図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．第１の実施形態
１−１．キーボード装置の構成
１−２．キーボード部の詳細構成
１−３．キートップの縁部とベゼルの開口部との関係
１−４．キーボード部の動きの例
２．第２の実施形態
３．第３の実施形態
３−１．キートップの傾斜面、及び支持部材のガイド面の形状
３−２．キートップの傾斜面とベゼルの位置関係
４．まとめ
【００１４】
＜１．第１の実施形態＞
（１−１．キーボード装置の構成）
本開示の第１の実施形態に係るキーボード装置の構成について説明する。以下では、キーボード装置として、図１に示す電子機器１０を例に挙げて説明する。
【００１５】
図１は、本開示の第１の実施形態に係る電子機器１０の外観構成の一例を示す斜視図である。電子機器１０は、例えばノート型のパーソナルコンピュータである。ただし、電子機器１０は、ノート型のパーソナルコンピュータに限定されず、例えばデスクトップ型のパーソナルコンピュータであっても良い。
【００１６】
電子機器１０は、図１に示すように、表示側筐体２０と、本体側筐体３０と、ヒンジ機構部４０と、を有する。表示側筐体２０及び本体側筐体３０は、例えばそれぞれ平板形状となっており、同一サイズに形成されている。
【００１７】
表示側筐体２０は、表示部２２を有する。表示部２２は、例えば液晶ディスプレイ等の表示装置により構成される。表示部２２は、各種の情報を表示する表示画面を有する。なお、表示部２２の表示画面には、ユーザがタッチ操作可能なタッチパネルが重畳されていても良い。
【００１８】
本体側筐体３０は、ユーザの入力操作を受け付ける入力部３２を有する。入力部３２は、ユーザの入力操作を検出し、入力操作に対応する電気信号を出力する。ユーザは、表示側筐体２０が開状態（図１）である際に、入力部３２により入力操作を行う。
【００１９】
図２は、本体側筐体３０の構成の一例を示す平面図である。入力部３２は、図２に示すように、キーボード部３３やタッチパッド部３４等を含む。キーボード部３３は、ユーザが押下可能な操作キーを複数有する。タッチパッド部３４は、ユーザがタッチ入力可能な領域である。なお、キーボード部３３の詳細構成については、後述する。
【００２０】
ヒンジ機構部４０は、表示側筐体２０を本体側筐体３０に対して回動可能に連結する。ヒンジ機構部４０は、本体側筐体３０の長手方向（図１に示すＸ方向）の両側に設けられている。ヒンジ機構部４０により、表示側筐体２０は、本体側筐体３０に対して開いた開状態（図１）と、本体側筐体３０に対して閉じた閉状態との間で回動する。
【００２１】
なお、上記では、キーボード装置が、入力部３２と表示部２２が一体となったパーソナルコンピュータであることとしたが、これに限定されない。例えば、キーボード装置は、表示部２２を有さず、入力部３２を有するキーボードであっても良い。すなわち、キーボード装置は、表示装置と分離して構成されても良い。
【００２２】
（１−２．キーボード部３３の詳細構成）
図３及び図４を参照しながら、本開示の一実施形態に係るキーボード部３３の詳細構成の一例について説明する。図３は、一実施形態に係るキーボード部３３の構成の一例を示す斜視図である。図４は、一実施形態に係るキーボード部３３の分解状態を示す斜視図である。
【００２３】
キーボード部３３は、図４に示すように、ボトムプレート１１０と、バックライト部材１２０と、メンブレン１３０と、支持部材１４０と、キートップ１５０と、ベゼル１６０と、を有する。そして、キーボード部３３は、ボトムプレート１１０とベゼル１６０との間に、バックライト部材１２０、メンブレン１３０、支持部材１４０、キートップ１５０の順に積層される構成となっている。
【００２４】
（ボトムプレート１１０）
ボトムプレート１１０は、キーボード部３３の底部に設けられている。ボトムプレート１１０は、平板状の形状を成しており、例えばアルミプレート等の金属板や、樹脂等で形成された板状部材である。ボトムプレート１１０は、バックライト部材１２０、メンブレン１３０、支持部材１４０、キートップ１５０、及びベゼル１６０を支持する。なお、バックライト部材１２０、及びメンブレン１３０は、ボトムプレート１１０と同様に、平板状の形状を成している。
【００２５】
（バックライト部材１２０）
バックライト部材１２０は、キートップ１５０に対応する位置に配置された発光部を有する。例えば周囲が暗い時に発光部が点灯することで、キートップ１５０が照らされる。周囲の明るさは、例えば照度センサー等により感知される。バックライト部材１２０を設けることで、ユーザは、暗くても所望のキートップ１５０を押下することができる。
【００２６】
（メンブレン１３０）
メンブレン１３０は、例えば２枚のフィルム状の部材と、該フィルム状部材の内面に所定の間隔で対向するように設けられた一対の電極からなる接点と、を含む。接点は、キートップ１５０に対応する位置に、それぞれ配置されている。接点が接触した場合、キートップ１５０に対応する電気信号が出力される。
【００２７】
（支持部材１４０）
支持部材１４０は、複数のキートップ１５０を支持する支持部である。また、支持部材１４０は、ユーザがキートップ１５０を押下した際に、キートップ１５０を所定の移動方向にガイドする機能も有する。
【００２８】
図５は、支持部材１４０とキートップ１５０の構成の一例を示す分解斜視図である。なお、図５では、支持部材１４０の一部（一つのキートップ１５０に対応する部分）のみが示されている。支持部材１４０は、図５に示すように、穴部１４２と、磁石１４４と、ガイド部１４６とを有する。
【００２９】
穴部１４２は、キートップ１５０の対応する位置に、キートップ１５０よりも大きく矩形状に形成された穴を有する。キートップ１５０が押下されると、キートップ１５０が穴部１４２に入り込む構成となっている。
【００３０】
磁石１４４は、穴部１４２に隣接する位置に設けられている。具体的には、磁石１４４は、キートップ１５０に設けられた磁石１５６に対向する位置に設けられている。磁石１４４と磁石１５６の間で発生する引力により、磁石１５６が磁石１４４に吸着される。磁石１５６が磁石１４４に吸着されることで、押下前のキートップ１５０が基準位置に保持されることになる。
【００３１】
ガイド部１４６は、押下されたキートップ１５０を斜め下方へ移動させるようにガイドする。キートップ１５０は、前述したように押下前は基準位置にて保持されているが、キートップ１５０への押圧力が大きいと、磁石の吸着力に打ち勝ちキートップ１５０が移動可能となる。ガイド部１４６は、穴部１４２の縁から穴部１４２の内方へ突出するように形成されている。本実施形態では、キートップ１５０の移動を円滑に行うために、四隅にガイド部１４６がそれぞれ設けられている。
【００３２】
また、ガイド部１４６には、斜面であるガイド面１４７が形成されている。ガイド面１４７は、キートップ１５０の高さ方向と交差する方向に形成されている。キートップ１５０は、押下されると、ガイド面１４７に沿って斜め下方へ移動する。なお、キートップ１５０への押圧が解除されると、磁石の吸着力により、キートップ１５０はガイド面１４７に沿って斜め上方へ移動する。
【００３３】
（キートップ１５０）
キートップ１５０は、図３に示すように、キーボード部３３の縦横に複数配列された操作キーである。操作キーは、例えば文字や数字のキーであり、それぞれ矩形状の形状を成している。複数のキートップ１５０は、互いに隣接するように配置されている。キートップ１５０が基準位置から入力位置まで押下されることで、キートップ１５０に対応する信号が出力される。
【００３４】
図６は、キートップ１５０の基準位置Ｐ１と入力位置Ｐ２とを示す図である。図６の状態３０１がキートップ１５０の基準位置Ｐ１を示し、図６の状態３０２がキートップ１５０の入力位置Ｐ２を示す。キートップ１５０は、ユーザによって押下される前には図６に示す基準位置Ｐ１に保持され、押下された場合には入力位置Ｐ２に移動する。キートップ１５０は、支持部材１４０により、基準位置Ｐ１と入力位置Ｐ２の間でキートップ１５０の高さ方向と交差する移動方向に移動するように支持されている。なお、本実施形態では、基準位置Ｐ１が第１位置に該当し、入力位置Ｐ２が第２位置に該当する。
【００３５】
複数のキートップ１５０の構成は、同様であるので、以下では一つのキートップ１５０を例に挙げて説明する。キートップ１５０は、ユーザが押下する頂面１５１と、側面１５２ａ〜１５２ｄとを有する。また、キートップ１５０は、図５に示すように、磁石１５６と、摺動部１５８とを有する。
【００３６】
磁石１５６は、支持部材１４０の磁石１４４に対向する位置に固定されている。磁石１５６は、磁石１４４に引力により吸着される。このため、キートップ１５０は、押下される前は、磁石１５６が磁石１４４に吸着された基準位置Ｐ１に保持される。一方で、キートップ１５０への押下力が大きいと、磁石の吸着力に打ち勝ちキートップ１５０は入力位置Ｐ２へ移動することになる。なお、磁石１５６が第１磁石に該当し、磁石１４４が第２磁石に該当する。
【００３７】
摺動部１５８は、キートップ１５０が押下された際に、支持部材１４０のガイド面１４７を摺動する。摺動部１５８は、キートップ１５０の側面から外方へ延出するように形成されている。摺動部１５８がガイド面１４７に沿って摺動することで、キートップ１５０は、基準位置と入力位置との間で移動する。
【００３８】
（ベゼル１６０）
ベゼル１６０は、キーボート部３３のトップカバーである。ベゼル１６０には、図４に示すように、キートップ１５０が配置されるように開口部１６２が複数形成されている。開口部１６２は、配置されるキートップ１５０よりも僅かに大きな面積の穴を有する。
【００３９】
上述したように、第１の実施形態に係るキーボード部３３は、支持部材１４０に設けられた磁石１４４と、キートップ１５０に設けられた磁石１５６とを有する。このような磁石対の間には磁気的吸引力が発生し、かかる吸引力によりキートップ１５０の基準位置を保持している。これにより、ラバードーム及びシザース機構を用いる構成に比べて、キーボード部３３を薄型化することが可能となる。
【００４０】
なお、ラバードームを薄くする方式も提案されている。しかし、ラバードームを薄くすると、ラバードームの座屈特性の悪化によりユーザに与えるキートップ押圧の感覚（クリック感とも呼ばれる）が低下する。さらに、シザース機構も薄くすると、シザース機構の強度が低下し、耐久性が損なわれる。これに対して、第１の実施形態のようにラバードーム及びシザース機構に代えて磁石１４４、１５６を用いることで、クリック感の低下を抑えることができ、またシザース機構の強度について考慮する必要も無い。
【００４１】
（１−３．キートップ１５０の縁部とベゼル１６０の開口部との関係）
上述したように、キートップ１５０は、基準位置Ｐ１と入力位置Ｐ２の間で移動する際に、ガイド部１４６に支持されて斜めに移動する。このように移動するキートップ１５０と開口部１６２とは、図７に示すような関係になっている。
【００４２】
図７は、キートップ１５０と開口部１６２の関係を示す図である。図７の状態３０５は、基準位置Ｐ１に位置するキートップ１５０と開口部１６２との関係を示す。図７の状態３０６は、入力位置Ｐ２に位置するキートップ１５０と開口部１６２との関係を示す。
【００４３】
キートップ１５０が基準位置Ｐ１に位置する時には、図７の状態３０５に示すように、キートップ１５０の縁部１５３ａ（縁部１５３ｃ）と、縁部１５３ａ（縁部１５３ｃ）が対向する開口部１６２の内縁との距離は、キートップ１５０の縁部１５３ａと直交する縁部１５３ｂ（１５３ｄ）と、縁部１５３ｂ（１５３ｄ）が対向する開口部１６２の内縁との距離と同じ大きさである。このため、キートップ１５０が基準位置Ｐ１に位置する際に、キートップ１５０と開口部１６２の間で均一な幅の隙間が形成される。そして、当該隙間を小さくすることで、キートップ１５０配置のデザイン性を向上できる。
【００４４】
キートップ１５０が入力位置Ｐ２へ移動する際には、斜め下方に移動したキートップ１５０の縁部１５３ａが、開口部１６２の内縁に近づく。そして、キートップ１５０が入力位置Ｐ２に位置する時には、図７の状態３０６に示すように、縁部１５３ａと、縁部１５３ａに対向する開口部１６２の内縁との距離が、他の縁部１５３ｂ〜１５３ｄと開口部１６２の内縁との距離よりも小さくなっている。
【００４５】
ところで、キートップ１５０は、縁部１５３ａにキートップ１５０の移動方向に沿って形成された傾斜面１５４を有する。このような傾斜面１５４は、キートップ１５０が入力位置Ｐ２へ移動する際に、開口部１６２の内縁と接触することを防止する逃げ形状となる。このため、縁部１５３ａと開口部１６２の内縁との間の隙間を広くすることを防止できる。別言すれば、開口部１６２を大きくすることを防止できる。
【００４６】
傾斜面１５４は、図５に示すように、キートップ１５０の頂面１５１と側面１５２ａとを繋ぐ面である。傾斜面１５４は、頂面１５１と側面１５２ａの間の縁部１５３ａを面取りすることで形成される。例えば、傾斜面１５４は、いわゆるＣ面取り加工により形成された、平らな面である。これにより、簡易な構成にて、キートップ１５０が押下されて斜め下方へ移動する際に、縁部１５３ａが開口部１６２の内縁１６３ａと接触することを、有効に防止できる。
【００４７】
傾斜面１５４は、支持部材１４０のガイド面１４７と平行に形成されても良い。かかる場合には、傾斜面１５４は、支持部材１４０に支持されたキートップ１５０の移動方向と平行に形成されることになる。これにより、キートップ１５０が移動する際に、キートップ１５０の縁部１５３ａが開口部１６２の内縁１６３ａと接触することを、より有効に防止できる。なお、ガイド面１４７が平らな面以外である場合には、傾斜面１５４もガイド面１４７の形状に合わせて形成されることが望ましい。
【００４８】
図８は、キートップ１５０が基準位置から入力位置へ移動する際の、傾斜面１５４と開口部１６２の関係を示す図である。図８の状態３１１ではキートップ１５０が基準位置Ｐ１に位置し、状態３１２ではキートップ１５０が基準位置Ｐ１から入力位置Ｐ２へ移動中であり、状態３１３ではキートップ１５０が入力位置Ｐ２に位置する。図８に示すように、傾斜面１５４を設けることで、キートップ１５０が入力位置Ｐ２へ移動する際に、キートップ１５０の縁部が開口部１６２の内縁に引っ掛からず、円滑に移動できる。
【００４９】
なお、上記では、傾斜面１５４は、平らな面であることとしたが、これに限定されない。例えば、傾斜面１５４は、曲面であっても良い。例えば、傾斜面１５４は、いわゆるＲ面取りすることで形成される。傾斜面１５４が曲面の場合にも、開口部１６２の内縁と接触することを防止しつつ、内縁との距離が狭くなることを防止できる。
【００５０】
また、上記では、傾斜面１５４は、キートップ１５０の縁部１５３ａ（図７）に形成されていることとしたが、これに限定されない。例えば、傾斜面１５４は、キートップ１５０の縁部１５３ａ〜１５３ｄの中で、キートップ１５０が基準位置から入力位置へ移動する移動方向とは逆側の縁部１５３ｃに、形成されていても良い。より具体的には、縁部１５３ｃがベゼル１６０の下側に入り込むように延出されており、延出された縁部１５３ｃに傾斜面１５４が形成されても良い。かかる構成の場合には、キートップ１５０が押下された場合に、縁部１５３ｃと隣接する開口部１６２の内縁との間の隙間を狭くすることができる。
【００５１】
また、傾斜面１５４は、キートップ１５０の縁部１５３ａ及び縁部１５３ｃに、それぞれ形成されていても良い。なお、第１の実施形態では、縁部１５３ａが第１縁部に該当し、縁部１５３ｂ、１５３ｄが第２縁部に該当する。
【００５２】
（１−４．キーボード部３３の動きの例）
図９を参照しながら、ユーザがキートップ１５０を押下する際のキーボード部３３の動きの例について説明する。図９は、ユーザがキートップ１５０を押下する際のキーボード部３３の動きの例を説明するための図である。
【００５３】
ここでは、キートップ１５０は、磁石１５６が支持部材１４０の磁石１４４に吸着されて、基準位置Ｐ１に位置するものとする。この状態で、ユーザは、キートップ１５０で入力するために、指でキートップ１５０の頂面１５１を押下する。
【００５４】
頂面１５１への押圧力が小さいと、キートップ１５０は移動しないが、押圧力が大きいと、磁石の吸着力に打ち勝ちキートップ１５０が斜め下方へ移動し始める。具体的には、キートップ１５０は、ユーザから見て奥側から手前側へ向けて、支持部材１４０のガイド面１４７に沿って移動する。
【００５５】
この際、キートップ１５０の縁部１５３ａ（図７）に傾斜面１５４が形成されているので、キートップ１５０がガイド面１４７に沿って移動する際に、キートップ１５０の縁部１５３ａがベゼル１６０の開口部１６２の内縁と干渉しない。この結果、キートップ１５０は、図９に示すように奥側から手前側へ移動量ｙだけ円滑に移動して、入力位置Ｐ２に位置する。
【００５６】
頂面１５１への押圧が開放されると、入力位置Ｐ２に位置するキートップ１５０は、磁石１５６と磁石１４４の間の引力により、ガイド面１４７に沿って上方へ移動する。そして、キートップ１５０は、磁石１５６が磁石１４４に吸着した基準位置Ｐ１に位置する。
【００５７】
なお、上記では、押下されたキートップ１５０が、ユーザから見て奥側から手前側に移動することとしたが、これに限定されない。例えば、押下されたキートップ１５０は、ユーザから見て手前側から奥側へ移動しても良い。かかる場合には、キートップ１５０の縁部１５３ｃに傾斜面を形成することで、移動の際に開口部１６２の内縁と接触することを防止できる。同様に、押下されたキートップ１５０は、ユーザから見て左右方向に移動しても良い。
【００５８】
＜２．第２の実施形態＞
図１０〜図１３を参照しながら、第２の実施形態について説明する。図１０〜図１３は、第２の実施形態に係る電子機器２００の構成の一例を示す図である。図１３は、電子機器２００のスライド動作を説明するための図である。
【００５９】
図１０には、電子機器２００の本体側筐体２３０上に表示側筐体２２０を重ねた状態が示されている。図１１には、本体側筐体２３０に対して表示側筐体２２０をスライドさせて起き上がらせた状態がされている。図１２には、図１１の状態の電子機器２００を背面から見た状態が示されている。
【００６０】
第２の実施形態に係る電子機器２００は、図１０及び図１１に示すように、表示側筐体２２０と、本体側筐体２３０と、を有する。表示側筐体２２０には、ＬＣＤ等の表示デバイス上にタッチセンサが設けられたタッチパネル２２２が設けられている。本体側筐体２３０には、キーボード部２３２が設けられている。第２の実施形態では、本体側筐体２３０が第１筐体に該当し、表示側筐体２２０が第２筐体に該当する。
【００６１】
表示側筐体２２０は、図１３に示すように、本体側筐体２３０に対してスライドしながら移動可能な構成となっている。具体的には、本体側筐体２３０と表示側筐体２２０は、背面側に設けられたヒンジ２４０を介して接続されている。これにより、表示側筐体２２０が、図１３に示すように、本体側筐体２３０に対してスライド動作を行う。この結果、図１０に示す状態と、図１１に示す状態とを相互に移行することになる。
【００６２】
電子機器２００においては、状態に応じてユーザの操作方法が異なる。図１０に示す状態では、ユーザは、タッチパネル２２２を操作することで、所望の操作を行うことができる。このため、ユーザは、電子機器２００をいわゆるタブレット端末として使用することができる。図１１に示す状態では、ユーザは、キーボード部２３２やタッチパッド２３４を操作することで、所望の操作を行うことができる。また、ユーザは、タッチパネル２２２を操作することも可能である。
【００６３】
ところで、第２の実施形態に係るキーボード部２３２は、第１の実施形態に係るキーボード部３３の構成（図３及び図４）と同様である。そして、キーボード部２３２のキートップ２５０も、縁部に傾斜面２５４を有する。これにより、第２の実施形態でも、キートップ２５０が配置される開口部を大きくすることを防止できる。
【００６４】
また、第２の実施形態では、表示側筐体２２０が本体側筐体２３０に対してスライドする際に、表示側筐体２２０の端部２２５が、図１４に示すように、キートップ２５０（具体的には、傾斜面２５４）に接触可能な構成となっている。図１４は、第２の実施形態に係る表示側筐体２２０の端部２２５が傾斜面２５４に接触する状態を説明するための模式図である。
【００６５】
例えば、ユーザが表示側筐体２２０を下方に強く押しながら図１４に示すＸ方向にスライドさせると、押圧された表示側筐体２２０の端部２２５がキートップ２５０に接触しやすい。傾斜面２５４を設けたことにより、表示側筐体２２０がスライドする際に、キートップ２５０が抜ける等の問題を防止することができる。以下において、図１５に示す比較例と対比しながら、詳細に説明する。
【００６６】
図１５は、比較例に係る表示側筐体９２０の端部がキートップ９５０に接触する状態を説明するための模式図である。なお、比較例に係るキートップ９５０には、第２の実施形態とは異なり傾斜面が形成されていない。かかる場合に、表示側筐体９２０が本体側筐体９３０に対してスライドする際に、表示側筐体９２０の下側の端部９２５が、キートップ９５０の縁部９５２に接触する。その後表示側筐体９２０のスライドが継続すると、端部９２５がキートップ９５０の縁部９５２に引っかかり、キートップ９５０が外れる恐れがある（外れたキートップ９５０が、飛散する可能性がある）。また、キートップ９５０に傷が付く恐れがある。
【００６７】
これに対して、第２の実施形態では、図１４に示すように表示側筐体２２０の端部２２５が傾斜面２５４に接触する。これに伴い、その後表示側筐体２２０のスライドが継続すると、端部２２５が、キートップ２５０に引っ掛からず、キートップ２５０が押圧されることになる。また、キートップ２５０に傷が付くことも抑制できる。
【００６８】
＜３．第３の実施形態＞
第１の実施形態とは異なる第３の実施形態に係るキーボード部３３の構成について説明する。
【００６９】
（３−１．キートップ１５０の傾斜面、及び支持部材１４０のガイド面の形状）
まず、キートップ１５０の傾斜面１５４、及び支持部材１４０のガイド面１４７の形状について、３つの実施例を例に挙げて説明する。
【００７０】
（第１実施例）
図１６は、第３の実施形態に係るキートップ１５０の傾斜面１５４の第１実施例の構成を示す斜視図である。なお、図１６に示すキートップ１５０は、押下される前の基準位置に位置している。
【００７１】
図１６に示す例では、傾斜面１５４は、第１の実施形態と同様に、いわゆるＣ面取り加工により形成された平らな面（Ｃ面とも呼ぶ）である。これにより、簡易な加工にて傾斜面１５４を形成できると共に、キートップ１５０の縁部１５３ａが開口部１６２の内縁１６３ａと接触することを、有効に防止できる。
【００７２】
一方で、キートップ１５０の基準位置と入力位置との間で移動をガイドする支持部材１４０のガイド面１４７の形状としては、以下に説明する図１７や図１８に示す形状が望ましい。
【００７３】
図１７は、第３の実施形態に係る支持部材１４０のガイド面１４７の第１実施例の構成を示す斜視図である。図１７に示す例では、ガイド面１４７は、曲がって傾斜している面である。より具体的には、ガイド面１４７は、凹状の曲面である。かかる場合には、キートップ１５０の移動中に、キートップ１５０の縁部１５３ａ（図１６）が開口部１６２の内縁１６３ａから若干離れるため、キートップ１５０の縁部１５３ａが、開口部１６２の内縁１６３ａに引っ掛かることを有効に防止できる。
【００７４】
図１８は、第３の実施形態に係る支持部材１４０のガイド面１４７の第１実施例の構成を示す斜視図である。図１８に示す例では、ガイド面１４７は、平らに傾斜している面である。ガイド面１４７の傾斜角度は、キートップ１５０の傾斜面１５４の角度と同じ大きさか、又は傾斜面１５４の角度よりも大きい。これにより、キートップ１５０の移動を円滑に行わせることが可能となる。
【００７５】
（第２実施例）
図１９は、第３の実施形態に係るキートップ１５０の傾斜面１５４の第２実施例の構成を示す斜視図である。図１９に示す例では、キートップ１５０の傾斜面１５４は、いわゆるＲ面取り加工により形成された曲面（Ｒ面とも呼ぶ）である。具体的には、傾斜面１５４は、凸状に曲がっている。これにより、キートップ１５０の縁部の美観を向上させると共に、キートップ１５０の縁部１５３ａが開口部１６２の内縁１６３ａと接触することを有効に防止できる。
【００７６】
上述した凸状の曲面を有する傾斜面１５４に対して、支持部材１４０のガイド面１４７の形状としては、前述した図１７で示す凹状の曲面が望ましい。これにより、Ｒ面である傾斜面１５４が、キートップ１５０の移動中に開口部１６２の内縁に近づくことを抑制できるため、開口部１６２の内縁１６３ａと接触することを有効に防止できる。
【００７７】
（第３実施例）
図２０は、第３の実施形態に係るキートップ１５０の傾斜面１５４の第３実施例の構成を示す斜視図である。図２０に示す例では、キートップ１５０の傾斜面１５４も、曲面である。具体的には、傾斜面１５４は、図１９とは逆方向に凹状に曲がっている。かかる形状の場合には、キートップ１５０の縁部１５３ａが開口部１６２の内縁と接触することを、より有効に防止できる。
【００７８】
上述した凹状の曲面を有する傾斜面１５４に対して、支持部材１４０のガイド面１４７の形状としては、図１７、図１８に示す形状に加えて、例えば図２１に示す形状が望ましい。
【００７９】
図２１は、第３の実施形態に係る支持部材１４０のガイド面１４７の第３実施例の構成を示す斜視図である。図２１に示す例では、ガイド面１４７は、曲がって傾斜している面である。より具体的には、ガイド面１４７は、凸状の曲面である。
【００８０】
（３−２．キートップ１５０の傾斜面とベゼルの位置関係）
第１の実施形態では、傾斜面１５４は、キートップ１５０の縁部１５３ａ（図７）に形成されていることとしたが、これに限定されない。例えば、傾斜面１５４は、図２２に示すように、キートップ１５０の縁部１５３ａの反対側の縁部１５３ｃに形成されていても良い。すなわち、傾斜面は、キートップ１５０の縁部の中で、キートップ１５０が基準位置から入力位置へ移動する際に開口部の内縁から離れる縁部１５３ｃ（第２縁部に該当）に、形成されている。
【００８１】
図２２は、第３の実施形態に係るキートップ１５０の傾斜面とベゼル１６０の位置関係を説明するための図である。図２２の状態３５１が基準位置に位置するキートップ１５０を示し、状態３５２が入力位置に位置するキートップ１５０を示す。キートップ１５０は、状態３５１に示すように基準位置に位置する際に、縁部１５３ｃ側がベゼル１６０の下側に入り込むように延出した延出部１５３ｅを有する。そして、縁部１５３ｃから延出部１５３ｅにかけて、傾斜面１５５が形成されている。
【００８２】
傾斜面１５５を形成することで、延出部１５３ｅをベゼル１６０の下側に入り込ませやすくなる。また、延出部１５３ｅを設けることで、図２２の状態３５２に示すようにキートップ１５０が入力位置に移動した際に、延出部１５３ｅが開口部１６２に位置するので、キートップ１５０とベゼル１６０の間の隙間がお大きくなることを防止できる。特に、延出部１５３ｅを設けることで、キートップ１５０とベゼル１６０の間の隙間を均一な幅にすることが可能となる。
【００８３】
なお、上記では、傾斜面が、キートップ１５０の縁部１５３ａ、及び縁部１５３ｃのそれぞれに形成されていることとしたが、これに限定されない。例えば、傾斜面は、キートップ１５０の縁部１５３ｃにのみ形成されても良い。
【００８４】
＜４．まとめ＞
上述した電子機器１０において、キートップ１５０は、縁部に移動方向に沿って形成された傾斜面１５４を有する。このような傾斜面１５４を設けることにより、キートップ１５０が移動する際に、当該キートップ１５０が配置される開口部１６２の内縁と干渉しない。このため、キートップ１５０が、基準位置と入力位置との間で円滑に移動できる。また、傾斜面１５４を設けることで、キートップ１５０の縁部と開口部１６２の内縁との間の隙間を大きくする必要が無いので、キートップ１５０配置のデザイン性を向上できる。
【００８５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８７】
なお、以下のような構成も本開示の技術的範囲に属する。
（１）
カバー部材の開口部に配置され、押下可能なキートップと、
前記キートップに設けられた第１磁石と、
前記第１磁石が吸着される第２磁石を有し、前記キートップを支持する支持部と、
を備え、
前記支持部は、前記第１磁石が前記第２磁石に吸着される第１位置と、押下により吸着が解除された第２位置との間で、前記キートップの高さ方向と交差する移動方向に前記キートップが移動するように支持し、
前記キートップは、縁部に前記移動方向に沿って形成された傾斜面を有する、キーボード装置。
（２）
前記傾斜面は、前記移動方向と平行に形成されている、
前記（１）に記載のキーボード装置。
（３）
前記傾斜面は、
前記キートップの縁部の中で、前記キートップが前記第１位置から前記第２位置へ移動する際に前記開口部の内縁に近づく第１縁部に、形成されている、
前記（１）又は（２）に記載のキーボード装置。
（４）
前記傾斜面は、前記キートップの頂面と側面とを繋ぐ面である、
前記（１）〜（３）のいずれか１項に記載のキーボード装置。
（５）
前記傾斜面は、平らな面である、
前記（４）に記載のキーボード装置。
（６）
前記傾斜面は、曲面である、
前記（４）に記載のキーボード装置。
（７）
前記キートップが前記第１位置に位置する際に、
前記キートップの前記第１縁部と、前記第１縁部が対向する前記開口部の内縁との距離は、
前記キートップの前記第１縁部と直交する第２縁部と、前記第２縁部が対向する前記開口部の内縁との距離と同じ大きさである、
前記（３）に記載のキーボード装置。
（８）
前記キートップが設けられた第１筐体と、
前記第１筐体に対してスライドしながら移動可能な第２筐体と、
を更に備え、
前記第２筐体の端部は、スライドする際に前記傾斜面に接触する、
前記（１）〜（７）のいずれか１項に記載のキーボード装置。
（９）
前記支持部は、前記キートップの前記第１位置と前記第２位置との間での移動をガイドするガイド面を有し、
前記ガイド面は、平らな面である、
前記（５）又は（６）に記載のキーボード装置。
（１０）
前記支持部は、前記キートップの前記第１位置と前記第２位置との間での移動をガイドするガイド面を有し、
前記ガイド面は、曲面である、
前記（５）又は（６）に記載のキーボード装置。
（１１）
前記傾斜面は、
前記キートップの縁部の中で、前記キートップが前記第１位置から前記第２位置へ移動する際に前記開口部の内縁から離れる第２縁部に、形成されている、
前記（１）又は（２）に記載のキーボード装置。
（１２）
前記キートップは、前記第１位置に位置する際に、前記第２縁部側から前記開口部の下方に入り込むように延出した延出部を有する、
前記（１１）に記載のキーボード装置。
【符号の説明】
【００８８】
１０    電子機器
３０    本体側筐体
３３    キーボード部
１４０    支持部材
１４４    磁石
１４６    ガイド部
１４７    ガイド面
１５０    キートップ
１５１    頂面
１５２ａ〜１５２ｄ    側面
１５３ａ、１５３ｃ    縁部
１５３ｅ    延出部
１５４、１５５    傾斜面
１５６    磁石
１５８    摺動部
１６０    ベゼル
１６２    開口部
２２０    表示側筐体
２２５    端部
２３０    本体側筐体
２５４    傾斜面
【図１】
2015046137.tif 000003
【図２】
2015046137.tif 000004
【図３】
2015046137.tif 000005
【図４】
2015046137.tif 000006
【図５】
2015046137.tif 000007
【図６】
2015046137.tif 000008
【図７】
2015046137.tif 000009
【図８】
2015046137.tif 000010
【図９】
2015046137.tif 000011
【図１０】
2015046137.tif 000012
【図１１】
2015046137.tif 000013
【図１２】
2015046137.tif 000014
【図１３】
2015046137.tif 000015
【図１４】
2015046137.tif 000016
【図１５】
2015046137.tif 000017
【図１６】
2015046137.tif 000018
【図１７】
2015046137.tif 000019
【図１８】
2015046137.tif 000020
【図１９】
2015046137.tif 000021
【図２０】
2015046137.tif 000022
【図２１】
2015046137.tif 000023
【図２２】
2015046137.tif 000024